(57)【要約】【課題】  妨害波が存在する環境下で、通信の信頼性を確保することができるマルチキャリア通信装置を提供する。【解決手段】  通信制御部２は、サブキャリア毎の雑音レベルに基づいて受信時に使用可能な１乃至複数の周波数帯域をバンドパスフィルタ１４ａ〜１４ｄの各通過周波数帯域から選択して、いずれか１つの周波数帯域を受信時の使用周波数帯域に指定し、受信時の使用周波数帯域を通信先に通知するとともに、フィルタ切替部１３ａ，１３ｂの切替動作を制御して、送受信時には、使用帯域指定手段が設定した受信時の使用周波数帯域または通信先のマルチキャリア通信装置から通知された受信時の使用周波数帯域を通過させるバンドパスフィルタに切り替え、送信レベル調節部７は、送受信時に用いるバンドパスフィルタ１４の周波数帯域に基づいて、送信するマルチキャリア信号の信号レベルを調整する。【選択図】図１
2010004469.tif 000002
【特許請求の範囲】
【請求項１】
周波数帯域が互いに異なる複数のサブキャリアを用いて、通信先のマルチキャリア通信装置との間でマルチキャリア信号を送受信するマルチキャリア通信装置であって、
互いに異なる通過周波数帯域を設定された複数のバンドパスフィルタからなるフィルタ手段と、
マルチキャリア信号が通過するバンドパスフィルタを、前記複数のバンドパスフィルタのうちいずれかに切り替えるフィルタ切替手段と、
受信したマルチキャリア信号からサブキャリア毎の雑音レベルを算出し、当該雑音レベルの算出結果に基づいて受信時に使用可能な１乃至複数の周波数帯域を前記複数の通過周波数帯域から選択する使用可能帯域検出手段と、
使用可能帯域検出手段が検出した受信時に使用可能な１乃至複数の周波数帯域のうち、１つを受信時の使用周波数帯域に指定する使用帯域指定手段と、
使用帯域指定手段が指定した受信時の使用周波数帯域を通信先のマルチキャリア通信装置に通知する使用帯域通知手段と、
マルチキャリア信号の受信時および送信時に、フィルタ切替手段を制御して、使用帯域指定手段に指定された受信時の使用周波数帯域または通信先のマルチキャリア通信装置から通知された受信時の使用周波数帯域が通過周波数帯域であるバンドパスフィルタに切り替える通信調整手段と、
送信時にマルチキャリア信号が通過するバンドパスフィルタの周波数帯域に基づいて、送信するマルチキャリア信号の信号レベルを調整する送信レベル調節手段と、
を備えることを特徴とするマルチキャリア通信装置。
【請求項２】
前記通信調整手段は、マルチキャリア信号の受信時においては前記使用帯域指定手段に指定された受信時の使用周波数帯域が通過周波数帯域であるバンドパスフィルタに切り替え、マルチキャリア信号の送信時においては通信先のマルチキャリア通信装置から通知された受信時の使用周波数帯域が通過周波数帯域であるバンドパスフィルタに切り替えることを特徴とする請求項１記載のマルチキャリア通信装置。
【請求項３】
前記通信調整手段は、マルチキャリア信号の受信時および送信時には、前記使用帯域指定手段に指定された受信時の使用周波数帯域が通過周波数帯域であるバンドパスフィルタに切り替えることを特徴とする請求項１記載のマルチキャリア通信装置。
【請求項４】
ＯＦＤＭ方式で通信を行うことを特徴とする請求項１乃至３いずれか記載のマルチキャリア通信装置。
【請求項５】
前記複数のバンドパスフィルタは、所定の周波数帯域を通過させる複数の第１のバンドパスフィルタと、２つ以上の第１のバンドパスフィルタの各周波数帯域を合わせた周波数帯域を通過させる１つ以上の第２のバンドパスフィルタとで構成されることを特徴とする請求項１乃至４いずれか記載のマルチキャリア通信装置。
【請求項６】
前記使用帯域指定手段は、前記使用可能帯域検出手段が検出した受信時に使用可能な複数の周波数帯域から、所定の選択基準に基づいて受信時の使用周波数帯域を指定することを特徴とする請求項１乃至５いずれか記載のマルチキャリア通信装置。
【請求項７】
前記使用可能帯域検出手段が算出したサブキャリア毎の雑音レベルに基づいて、受信時に使用不可能であると判別された周波数帯域の履歴を記憶する雑音履歴記憶手段を備え、
前記使用帯域指定手段は、雑音履歴記憶手段を参照して、前記使用可能帯域検出手段が検出した受信時に使用可能な複数の周波数帯域から、過去において受信時に使用不可能であると判別された周波数帯域を除いて、受信時の使用周波数帯域を指定することを特徴とする請求項６記載のマルチキャリア通信装置。
【請求項８】
前記使用可能帯域検出手段が算出したサブキャリア毎の雑音レベルに基づいて、各バンドパスフィルタの通過周波数帯域に対して優先度を示す重み付け情報を付加して記憶する優先度記憶手段を備え、
前記使用帯域指定手段は、優先度記憶手段を参照して、前記使用可能帯域検出手段が検出した受信時に使用可能な複数の周波数帯域から、優先度が所定レベル以上である周波数帯域を、受信時の使用周波数帯域に指定することを特徴とする請求項６記載のマルチキャリア通信装置。
【請求項９】
前記使用帯域指定手段は、前記使用可能帯域検出手段が受信時に使用可能な周波数帯域を１つ検出した時点で、当該検出した周波数帯域を受信時の使用周波数帯域に指定することを特徴とする請求項１乃至８いずれか記載のマルチキャリア通信装置。
【請求項１０】
前記通信先のマルチキャリア通信装置が複数存在することを特徴とする請求項１乃至９いずれか記載のマルチキャリア通信装置。
【請求項１１】
前記使用可能帯域検出手段は、受信したマルチキャリア信号からサブキャリア毎の雑音レベルを定期的に算出して、全サブキャリアの雑音レベルが所定レベル以下になった場合、全サブキャリアが含まれる周波数帯域を選択し、前記使用帯域指定手段は、全サブキャリアが含まれる周波数帯域を受信時の使用周波数帯域に指定することを特徴とする請求項１乃至１０何れか記載のマルチキャリア通信装置。
【請求項１２】
前記バンドパスフィルタは、デジタルフィルタで構成されることを特徴とする請求項１乃至１１いずれか記載のマルチキャリア通信装置。
【請求項１３】
前記バンドパスフィルタは、カットオフ周波数を調整可能なローパスフィルタと、カットオフ周波数を調整可能なハイパスフィルタとを組み合わせて構成されることを特徴とする請求項１乃至１２いずれか記載のマルチキャリア通信装置。
【発明の詳細な説明】
【技術分野】
【０００１】
本発明は、マルチキャリア通信信号が伝送される伝送路に接続されて通信を行うマルチキャリア通信装置に関するものである。
【背景技術】
【０００２】
近年、デジタル通信の高速化に伴い、その通信方式としてマルチキャリア通信が用いられている（例えば、特許文献１、２参照）。まず、図１２（ａ）に示すように、実際の送信に用いる周波数帯域Ｗ３１には、互いに周波数の異なる全サブキャリアＳＣが存在し、通信先で受信可能な周波数帯域Ｗ４１が送信周波数帯域Ｗ３１と同一の帯域に設定されている。そして、送信周波数帯域Ｗ３１内に狭周波数帯域の妨害波Ｎ１（以降、狭帯域妨害波Ｎ１と称す）が存在する場合、この狭帯域妨害波Ｎ１と同じ周波数帯域に存在するサブキャリアＳＣ１のデータは十分なＳ／Ｎ比（以下、ＳＮＲ）が得られず、エラーとなる場合がある。そこで、図１２（ｂ）に示すように、狭帯域妨害波Ｎ１が存在する周波数帯域を除く周波数帯域を送信周波数帯域Ｗ３２とし、送信周波数帯域Ｗ３２内のサブキャリアＳＣのみを用いることで、狭帯域妨害波Ｎ１が存在する場合でも通信を可能としている。
【０００３】
また、図１３（ａ）に示すように、送信周波数帯域Ｗ３１内に広周波数帯域の妨害波Ｎ２（以降、広帯域妨害波Ｎ２と称す）が存在する場合、各サブキャリアＳＣのＳＮＲが不十分であると各サブキャリアＳＣのデータは、全周波数帯域に亘ってエラーとなる場合がある。そこで、図１３（ｂ）に示すように、各サブキャリアＳＣの信号レベルを大きくすることで、広帯域妨害波Ｎ２が存在する場合でも通信を可能としている。
【特許文献１】特開平１０−１０７６９５号公報
【特許文献２】特開２００６−２８７７１４号公報
【発明の開示】
【発明が解決しようとする課題】
【０００４】
しかしながら、図１２（ａ）（ｂ）に示すように狭帯域妨害波Ｎ１が存在する周波数帯域を除く送信周波数帯域Ｗ３２内のサブキャリアＳＣのみを用いたとしても、通信先で受信可能な周波数帯域Ｗ４１内に狭帯域妨害波Ｎ１が存在するため、マルチキャリア通信装置は、受信時のゲインコントロールの際に十分な利得を得ることができず、エラーが発生する場合があった。
【０００５】
また、図１３（ａ）（ｂ）に示すように、広帯域妨害波Ｎ２が存在する場合に各サブキャリアＳＣの信号レベルを大きくしようとすると、全てのサブキャリアＳＣを含む広い送信周波数帯域Ｗ３１の全域に亘って信号レベルを大きくしなければならず、マルチキャリア通信装置の送信ドライバの出力電力を大きくする必要があった。
【０００６】
このように、従来のマルチキャリア通信装置では、妨害波が存在する環境下で、通信の信頼性を確保することが困難であった。
【０００７】
本発明は、上記事由に鑑みてなされたものであり、その目的は、妨害波が存在する環境下で、通信の信頼性を確保することができるマルチキャリア通信装置を提供することにある。
【課題を解決するための手段】
【０００８】
請求項１の発明は、周波数帯域が互いに異なる複数のサブキャリアを用いて、通信先のマルチキャリア通信装置との間でマルチキャリア信号を送受信するマルチキャリア通信装置であって、互いに異なる通過周波数帯域を設定された複数のバンドパスフィルタからなるフィルタ手段と、マルチキャリア信号が通過するバンドパスフィルタを、前記複数のバンドパスフィルタのうちいずれかに切り替えるフィルタ切替手段と、受信したマルチキャリア信号からサブキャリア毎の雑音レベルを算出し、当該雑音レベルの算出結果に基づいて受信時に使用可能な１乃至複数の周波数帯域を前記複数の通過周波数帯域から選択する使用可能帯域検出手段と、使用可能帯域検出手段が検出した受信時に使用可能な１乃至複数の周波数帯域のうち、１つを受信時の使用周波数帯域に指定する使用帯域指定手段と、使用帯域指定手段が指定した受信時の使用周波数帯域を通信先のマルチキャリア通信装置に通知する使用帯域通知手段と、マルチキャリア信号の受信時および送信時に、フィルタ切替手段を制御して、使用帯域指定手段に指定された受信時の使用周波数帯域または通信先のマルチキャリア通信装置から通知された受信時の使用周波数帯域が通過周波数帯域であるバンドパスフィルタに切り替える通信調整手段と、送信時にマルチキャリア信号が通過するバンドパスフィルタの周波数帯域に基づいて、送信するマルチキャリア信号の信号レベルを調整する送信レベル調節手段と、を備えることを特徴とする。
【０００９】
この発明では、送信および受信に用いる周波数帯域内には、狭帯域妨害波の影響を受けない複数のサブキャリアが存在し、狭帯域妨害波は、送信および受信に用いる周波数帯域外に存在している。さらに狭帯域妨害波は、送信および受信に用いる周波数帯域外であるので、その信号レベルは減衰しており、一方、通信に用いられるサブキャリアは、周波数帯域が狭くなった分だけ信号レベルを増大させている。したがって、狭帯域妨害波がマルチキャリア通信で用いるサブキャリアに与える影響は抑制され、通信エラーの発生を防止することができる。また、送信および受信に用いる周波数帯域外の広帯域妨害波は、その信号レベルが減衰しており、さらに、送信および受信に用いる周波数帯域内の広帯域妨害波は、その信号レベルを維持しているが、送信および受信に用いる周波数帯域内で通信に用いられるサブキャリアは、周波数帯域が狭くなった分だけ信号レベルを増大させており、ＳＮＲが向上している。したがって、広帯域妨害波がマルチキャリア通信で用いるサブキャリアに与える影響は抑制され、通信エラーの発生を防止することができる。このように、妨害波が存在する環境下で、通信の信頼性を確保することができるのである。
【００１０】
請求項２の発明は、請求項１において、前記通信調整手段は、マルチキャリア信号の受信時においては前記使用帯域指定手段に指定された受信時の使用周波数帯域が通過周波数帯域であるバンドパスフィルタに切り替え、マルチキャリア信号の送信時においては通信先のマルチキャリア通信装置から通知された受信時の使用周波数帯域が通過周波数帯域であるバンドパスフィルタに切り替えることを特徴とする。
【００１１】
この発明では、受信時の使用周波数帯域を、通信先における送信時の使用周波数帯域に設定し、通信先における受信時の使用周波数帯域を、送信時の使用周波数帯域に設定することによって、妨害波が存在する環境下で、通信の信頼性を確保することができる。
【００１２】
請求項３の発明は、請求項１において、前記通信調整手段は、マルチキャリア信号の受信時および送信時には、前記使用帯域指定手段に指定された受信時の使用周波数帯域が通過周波数帯域であるバンドパスフィルタに切り替えることを特徴とする。
【００１３】
この発明では、妨害波が存在する環境下で、通信の信頼性を確保することができるともに、送信時の伝送ロスと受信時の伝送ロスとの各周波数特性が同一の場合の処理を簡略化できる。
【００１４】
請求項４の発明は、請求項１乃至３いずれかにおいて、ＯＦＤＭ方式で通信を行うことを特徴とする。
【００１５】
この発明では、通信の伝送速度を速くすることができる。
【００１６】
請求項５の発明は、請求項１乃至４いずれかにおいて、前記複数のバンドパスフィルタは、所定の周波数帯域を通過させる複数の第１のバンドパスフィルタと、２つ以上の第１のバンドパスフィルタの各周波数帯域を合わせた周波数帯域を通過させる１つ以上の第２のバンドパスフィルタとで構成されることを特徴とする。
【００１７】
この発明では、第２のバンドパスフィルタを用いることで、より広い周波数帯域を用いて通信を行うことができ、通信速度の向上を図ることができる。
【００１８】
請求項６の発明は、請求項１乃至５いずれかにおいて、前記使用帯域指定手段は、前記使用可能帯域検出手段が検出した受信時に使用可能な複数の周波数帯域から、所定の選択基準に基づいて受信時の使用周波数帯域を指定することを特徴とする。
【００１９】
この発明では、妨害波の影響を受け難い使用周波数帯域を指定することができる。
【００２０】
請求項７の発明は、請求項６において、前記使用可能帯域検出手段が算出したサブキャリア毎の雑音レベルに基づいて、受信時に使用不可能であると判別された周波数帯域の履歴を記憶する雑音履歴記憶手段を備え、前記使用帯域指定手段は、雑音履歴記憶手段を参照して、前記使用可能帯域検出手段が検出した受信時に使用可能な複数の周波数帯域から、過去において受信時に使用不可能であると判別された周波数帯域を除いて、受信時の使用周波数帯域を指定することを特徴とする。
【００２１】
この発明では、過去に使用不可能であると判別された周波数帯域を、受信時の使用周波数帯域には設定しないことで、定期的に周波数が変動する妨害波が発生する場合に、このような周波数変動する妨害波を避けて、受信時の使用周波数帯域を設定することができ、通信の信頼性がさらに向上する。
【００２２】
請求項８の発明は、請求項６において、前記使用可能帯域検出手段が算出したサブキャリア毎の雑音レベルに基づいて、各バンドパスフィルタの通過周波数帯域に対して優先度を示す重み付け情報を付加して記憶する優先度記憶手段を備え、前記使用帯域指定手段は、優先度記憶手段を参照して、前記使用可能帯域検出手段が検出した受信時に使用可能な複数の周波数帯域から、優先度が所定レベル以上である周波数帯域を、受信時の使用周波数帯域に指定することを特徴とする。
【００２３】
この発明では、過去に使用不可能であると判別された履歴に基づく優先度を用いて、受信時の使用周波数帯域を設定することで、頻繁に妨害波が発生する周波数帯域は優先度を低くし、妨害波が発生する頻度が少ない周波数帯域は優先度を高くして、優先度の高い周波数帯域を使用周波数帯域に設定するので、通信の信頼性がさらに向上する。
【００２４】
請求項９の発明は、請求項１乃至８いずれかにおいて、前記使用帯域指定手段は、前記使用可能帯域検出手段が受信時に使用可能な周波数帯域を１つ検出した時点で、当該検出した周波数帯域を受信時の使用周波数帯域に指定することを特徴とする。
【００２５】
この発明では、全てのサブキャリアのＳＮＲを算出して、全てのサブキャリアに対して受信時に使用可能なサブキャリアであるか否かを判別する必要はなく、受信時の使用周波数帯域の設定処理を簡略化できる。
【００２６】
請求項１０の発明は、請求項１乃至９いずれかにおいて、前記通信先のマルチキャリア通信装置が複数存在することを特徴とする。
【００２７】
この発明では、３台以上のマルチキャリア通信装置が存在する場合に、使用周波数帯域の設定を一括して行うことができ、設定処理を簡略化できる。
【００２８】
請求項１１の発明は、請求項１乃至１０いずれかにおいて、前記使用可能帯域検出手段は、受信したマルチキャリア信号からサブキャリア毎の雑音レベルを定期的に算出して、全サブキャリアの雑音レベルが所定レベル以下になった場合、全サブキャリアが含まれる周波数帯域を選択し、前記使用帯域指定手段は、全サブキャリアが含まれる周波数帯域を受信時の使用周波数帯域に指定することを特徴とする。
【００２９】
この発明では、妨害波がなくなった時点で、全サブキャリアを用いた通信に復帰するので、通信速度の向上を図ることができる。
【００３０】
請求項１２の発明は、請求項１乃至１１いずれかにおいて、前記バンドパスフィルタは、デジタルフィルタで構成されることを特徴とする。
【００３１】
この発明では、バンドパスフィルタの高速切替が実現できる。
【００３２】
請求項１３の発明は、請求項１乃至１２いずれかにおいて、前記バンドパスフィルタは、カットオフ周波数を調整可能なローパスフィルタと、カットオフ周波数を調整可能なハイパスフィルタとを組み合わせて構成されることを特徴とする。
【００３３】
この発明では、各ハイパスフィルタ、ローパスフィルタのカットオフ周波数を調整することで、バンドパスフィルタの通過周波数帯域を細やかに調整可能できる。
【発明の効果】
【００３４】
以上説明したように、本発明では、妨害波が存在する環境下で、通信の信頼性を確保することができるという効果がある。
【発明を実施するための最良の形態】
【００３５】
以下、本発明の実施の形態を図面に基づいて説明する。
【００３６】
（実施形態１）
本実施形態では、通信方式としてＯＦＤＭ（OrthogonalFrequency Division Multiplexing：直交波周波数分割多重）を用いたマルチキャリア通信装置について説明する。図２は、２台のマルチキャリア通信装置Ａ（Ａ１，Ａ２）の間を伝送線Ｌで接続した通信システムを示しており、マルチキャリア通信装置Ａ１，Ａ２は、伝送線Ｌを介して、互いに周波数の異なる複数のサブキャリアを用いたマルチキャリア信号を送受信して通信を行っている。
【００３７】
図１は、マルチキャリア通信装置Ａの物理ブロックの構成を示しており、ＭＡＣ（Multi Access Control）インタフェース部１と、通信制御部２と、エンコーダ部３と、ＦＦＴ／ＩＦＦＴ部４と、ＦＩＲ部５と、Ｄ／Ａ変換部６と、送信レベル調節部７と、受信レベル増幅部８と、Ａ／Ｄ変換部９と、同期部１０と、等化部１１と、デコーダ部１２と、フィルタ切替部１３ａ，１３ｂと、フィルタ部１４とで構成される。
【００３８】
ＭＡＣインタフェース部１は、図示しないＭＡＣ部との間で送受信制御情報や送受信データの受け渡しを行い、通信制御部２は、マルチキャリア通信に用いるサブキャリアを決定して、ＦＦＴ／ＩＦＦＴ部４、送信レベル調節部７、フィルタ切替部１３ａ，１３ｂの各動作を制御する。
【００３９】
まず送信時には、エンコーダ部３が、通信制御部２から受け取った送信データに対して、スクランブル処理、符号化処理、インタリーブ処理、１次変調処理を行い、ＦＦＴ／ＩＦＦＴ部４は、フーリエ変換またはウェーブレット変換等を用いて、所望の時間−周波数変換を行うことで、エンコーダ部３の出力に対してマルチキャリア変調を行う。そして、ＦＩＲ部５が、ＦＦＴ／ＩＦＦＴ部４から出力されたマルチキャリア信号に対してインタポレーションを行った後、Ｄ／Ａ変換部６でデジタル信号からアナログ信号に変換し、送信するマルチキャリア信号の信号レベルを送信レベル調節部７で調整し、フィルタ切替部１３ａ，１３ｂ、フィルタ部１４を介して伝送線Ｌにマルチキャリア信号が送出される。
【００４０】
次に受信時には、フィルタ切替部１３ａ，１３ｂ、フィルタ部１４を介してマルチキャリア信号を受信し、受信したマルチキャリア信号の信号レベルを受信レベル増幅部８で増幅し、Ａ／Ｄ変換部９がアナログ信号からデジタル信号に変換した後、ＦＩＲ部５がデシメーションを行い、同期部１０がマルチキャリア信号に含まれるプリアンブルを用いて同期を確立し、ＦＦＴ／ＩＦＦＴ部４が、逆フーリエ変換や逆ウェーブレット変換等を用いて、所望の周波数−時間変換を行うことで、マルチキャリア復調を行う。そして、ＦＦＴ／ＩＦＦＴ部４が復調した信号には、等化部１１が伝送路の歪みを補償する等化を行い、デコーダ部１２が１次復調処理、デインタリーブ処理、復号処理、デスクランブル処理を行った後に、通信制御部２に引き渡される。
【００４１】
フィルタ部１４は、図３に示すように、受信可能な全周波数帯域Ｙａ（全てのサブキャリアを含む周波数帯域）を通過させるバンドパスフィルタ（以降．ＢＰＦと称す）１４ａと、受信可能な周波数帯域のうち低周波数領域Ｙｂを通過させるＢＰＦ１４ｂと、受信可能な周波数帯域のうち中周波数領域Ｙｃを通過させるＢＰＦ１４ｃと、受信可能な周波数帯域のうち高周波数領域Ｙｄを通過させるＢＰＦ１４ｄとで構成される。そして、フィルタ切替部１３ａ，１３ｂの各接点を切り替えることで、送信レベル調節部７が出力するマルチキャリア信号が、ＢＰＦ１４ａ〜ＢＰＦ１４ｄのうちいずれか１つを通過して伝送線Ｌに送出され、さらには伝送線Ｌからのマルチキャリア信号が、ＢＰＦ１４ａ〜ＢＰＦ１４ｄのうちいずれか１つを通過して受信レベル増幅部８に送出される。
【００４２】
通信制御部２は、図４に示すように、使用可能帯域検出部２ａと、使用帯域指定部２ｂと、使用帯域通知部２ｃと、通信調整部２ｄとで構成され、通信調整部２ｄは、ＦＦＴ／ＩＦＦＴ部４が変復調するサブキャリアを決定するとともに、送信レベル調節部７が送信するマルチキャリア信号の信号レベルを決定し、さらにはフィルタ切替部１３ａ，１３ｂの切替動作を制御して、送受信するマルチキャリア信号が通過するＢＰＦをＢＰＦ１４ａ〜ＢＰＦ１４ｄから決定する。
【００４３】
そして通信調整部２ｄは、妨害波のない場合、フィルタ切替部１３ａ，１３ｂを制御して、全てのサブキャリアを通過させるＢＰＦ１４ａを通信経路に接続しておき、全サブキャリアを用いてマルチキャリア通信を行う。
【００４４】
一方、妨害波が発生すると、マルチキャリア通信装置Ａは、妨害波の影響を防止するために、図５のシーケンスに示す処理を行う。まず、マルチキャリア通信装置Ａ１，Ａ２がともにＢＰＦ１４ａを通信経路に接続した状態で、マルチキャリア通信装置Ａ１が、全サブキャリアを用いてマルチキャリア通信装置Ａ２へデータを送信した後（Ｓ１）、待機状態となる。そして、データを受信したマルチキャリア通信装置Ａ２は、同期確立後にデータエラーが発生した場合、同期信号パターン（プリアンブル）等を用いてデータエラーの発生をマルチキャリア通信装置Ａ１に通知する（Ｓ２）。そして、マルチキャリア通信装置Ａ１の通信調整部２ｄは、フィルタ切替部１３ａ，１３ｂを制御して、低周波数領域Ｙｂを通過させるＢＰＦ１４ｂを通信経路に接続した後、待機状態となる。
【００４５】
データエラーが発生したマルチキャリア通信装置Ａ２では、使用可能帯域検出部２ａが、マルチキャリア通信装置Ａ１から受信したデータに基づいて、全てのサブキャリアのＳＮＲをサブキャリア毎に算出し、ＳＮＲの算出結果に基づいて受信時に使用可能なサブキャリアを判別して、これらの使用可能なサブキャリアのみ（または、使用可能なサブキャリアの割合が一定以上）が含まれる周波数帯域を、受信時に使用可能な周波数帯域として検出する。この受信時に使用可能な周波数帯域とは、ＢＰＦ１４ｂ〜ＢＰＦ１４ｄの各通過周波数帯域Ｙｂ〜Ｙｄから、１乃至複数の周波数帯域が選択される。そして、使用帯域指定部２ｂが、上記検出した１乃至複数の使用可能な周波数帯域のうち、サブキャリアのＳＮＲが最も良好な周波数帯域を、マルチキャリア通信装置Ａ２の受信時の使用周波数帯域Ｙ２に設定する。すなわち、Ｙ２＝ＹｂまたはＹｃまたはＹｄである。
【００４６】
次に、マルチキャリア通信装置Ａ２の通信調整部２ｄは、フィルタ切替部１３ａ，１３ｂを制御して、低周波数領域Ｙｂを通過させるＢＰＦ１４ｂを通信経路に接続し、さらにＦＦＴ／ＩＦＦＴ部４を制御して、ＢＰＦ１４ｂの通過周波数帯域Ｙｂ内のサブキャリアを送信時の通信キャリアに設定する。また、送信レベル調節部７のゲイン設定値を変更することなく、ＢＰＦ１４ａに比べて通過周波数帯域の狭いＢＰＦ１４ｂを用いると、送信信号の時間軸上での信号レベルは減少するため、送信するマルチキャリア信号の信号レベルをこの減少分に相当するレベルだけ大きくすることができる。したがって、通信調整部２ｄは、送信レベル調節部７の出力電力を増大させることなく、送信レベル調節部７のゲインを大きく設定できる。これらの設定を行った後、マルチキャリア通信装置Ａ２の使用帯域通知部２ｃは、上述のように設定した受信時の使用周波数帯域Ｙ２の情報を送信する（Ｓ３）。
【００４７】
そしてマルチキャリア通信装置Ａ１では、使用可能帯域検出部２ａが、マルチキャリア通信装置Ａ２から受信した信号に基づいて、ＢＰＦ１４ｂの通過周波数帯域Ｙｂ内の各サブキャリアのＳＮＲを算出し、さらには通信調整部２ｄが、フィルタ切替部１３ａ，１３ｂを制御して、中周波数領域Ｙｃを通過させるＢＰＦ１４ｃを通信経路に接続する。
【００４８】
次にマルチキャリア通信装置Ａ２では、通信調整部２ｄが、フィルタ切替部１３ａ，１３ｂを制御して、中周波数領域Ｙｃを通過させるＢＰＦ１４ｃを通信経路に接続し、さらにＦＦＴ／ＩＦＦＴ部４を制御して、ＢＰＦ１４ｃの通過周波数帯域Ｙｃ内のサブキャリアを送信時の通信キャリアに設定する。また、送信レベル調節部７のゲイン設定値を変更することなく、ＢＰＦ１４ａに比べて通過周波数帯域の狭いＢＰＦ１４ｃを用いると、送信信号の時間軸上での信号レベルは減少するため、送信するマルチキャリア信号の信号レベルをこの減少分に相当するレベルだけ大きくすることができる。したがって、通信調整部２ｄは、送信レベル調節部７の出力電力を増大させることなく、送信レベル調節部７のゲインを大きく設定できる。これらの設定を行った後、マルチキャリア通信装置Ａ２の使用帯域通知部２ｃは、上述のように設定した受信時の使用周波数帯域Ｙ２の情報を送信する（Ｓ４）。
【００４９】
そしてマルチキャリア通信装置Ａ１では、使用可能帯域検出部２ａが、マルチキャリア通信装置Ａ２から受信した信号に基づいて、ＢＰＦ１４ｃの通過周波数帯域Ｙｃ内の各サブキャリアのＳＮＲを算出し、さらには通信調整部２ｄが、フィルタ切替部１３ａ，１３ｂを制御して、高周波数領域Ｙｄを通過させるＢＰＦ１４ｄを通信経路に接続する。
【００５０】
次にマルチキャリア通信装置Ａ２では、通信調整部２ｄが、フィルタ切替部１３ａ，１３ｂを制御して、高周波数領域Ｙｄを通過させるＢＰＦ１４ｄを通信経路に接続し、さらにＦＦＴ／ＩＦＦＴ部４を制御して、ＢＰＦ１４ｄの通過周波数帯域Ｙｄ内のサブキャリアを送信時の通信キャリアに設定する。また、送信レベル調節部７のゲイン設定値を変更することなく、ＢＰＦ１４ａに比べて通過周波数帯域の狭いＢＰＦ１４ｄを用いると、送信信号の時間軸上での信号レベルは減少するため、送信するマルチキャリア信号の信号レベルをこの減少分に相当するレベルだけ大きくすることができる。したがって、通信調整部２ｄは、送信レベル調節部７の出力電力を増大させることなく、送信レベル調節部７のゲインを大きく設定できる。これらの設定を行った後、マルチキャリア通信装置Ａ２の使用帯域通知部２ｃは、上述のように設定した受信時の使用周波数帯域Ｙ２の情報を送信し（Ｓ５）、送信後は、通信調整部２ｄが、フィルタ切替部１３ａ，１３ｂを制御して、受信時の使用周波数帯域Ｙ２を通過周波数帯域として有するＢＰＦ１４を通信経路に接続しておく。
【００５１】
そしてマルチキャリア通信装置Ａ１では、使用可能帯域検出部２ａが、マルチキャリア通信装置Ａ２から受信した信号に基づいて、ＢＰＦ１４ｄの通過周波数帯域Ｙｄ内の各サブキャリアのＳＮＲを算出する。
【００５２】
次に、マルチキャリア通信装置Ａ１では、使用帯域指定部２ｂが、上述のように算出したＢＰＦ１４ｂ〜ＢＰＦ１４ｄの各通過周波数帯域Ｙｂ〜Ｙｄ内のサブキャリアのＳＮＲに基づいて、各通過周波数帯域Ｙｂ〜Ｙｄのうち、サブキャリアのＳＮＲが最も良好な周波数帯域を、マルチキャリア通信装置Ａ１の受信時の使用周波数帯域Ｙ１に設定する。すなわち、Ｙ１＝ＹｂまたはＹｃまたはＹｄである。
【００５３】
また、マルチキャリア通信装置Ａ１の通信調整部２ｄは、上述のＳ３〜Ｓ５でマルチキャリア通信装置Ａ２から送信された受信時の使用周波数帯域Ｙ２を、マルチキャリア通信装置Ａ１からマルチキャリア通信装置Ａ２への送信時に用いる周波数帯域として認知しており、フィルタ切替部１３ａ，１３ｂを制御して、使用周波数帯域Ｙ２を通過周波数帯域として有するＢＰＦ１４（ＢＰＦ１４ｂ〜ＢＰＦ１４ｄを区別しない場合は、ＢＰＦ１４と称す）を通信経路に接続し、さらにＦＦＴ／ＩＦＦＴ部４を制御して、当該ＢＰＦ１４の通過周波数帯域内のサブキャリアを送信時の通信キャリアに設定する。また、通信調整部２ｄは、上記同様に送信レベル調節部７の出力電力を増大させることなく、送信レベル調節部７のゲインを大きく設定できる。これらの設定を行った後、マルチキャリア通信装置Ａ１の使用帯域通知部２ｃは、上述のように設定した受信時の使用周波数帯域Ｙ１の情報を送信する（Ｓ６）。
【００５４】
一方、マルチキャリア通信装置Ａ２では、受信時の使用周波数帯域Ｙ２を通過周波数帯域として有するＢＰＦ１４を通信経路に接続しており、マルチキャリア通信装置Ａ１から受信時の使用周波数帯域Ｙ１の情報を受け取ると、当該使用周波数帯域Ｙ１をマルチキャリア通信装置Ａ２からマルチキャリア通信装置Ａ１への送信時に用いる周波数帯域として認知し、以降、マルチキャリア通信装置Ａ２からマルチキャリア通信装置Ａ１への送信時には、この認知した使用周波数帯域Ｙ１を用いる。
【００５５】
このようにして、マルチキャリア通信装置Ａ１，Ａ２がともに、送信先における受信時の使用周波数帯域Ｙ１，Ｙ２を認知し、この送信先における受信時の使用周波数帯域Ｙ１，Ｙ２を自己の送信時の使用周波数帯域に設定することで、通信周波数帯域の整合が完了する。すなわち、通信元と通信先のマルチキャリア通信装置Ａがともに、受信したサブキャリアのＳＮＲに基づいて、自己の受信時の使用周波数帯域を妨害波の影響が少ない帯域に設定し、送信元のマルチキャリア通信装置Ａの送信時の使用周波数帯域は、通信先のマルチキャリア通信装置Ａの受信時の使用周波数帯域に設定することで、通信元のマルチキャリア通信装置Ａ１（またはＡ２）の送信時の使用周波数帯域と、通信先のマルチキャリア通信装置Ａ２（またはＡ１）の受信時の使用周波数帯域とが一致するのである。
【００５６】
そして、図６（ａ）は、本実施形態において狭帯域妨害波Ｎ１が存在する場合の受信信号の信号レベルを示しており、送信および受信に用いる周波数帯域Ｗ１１（通信経路に接続したＢＰＦ１４の通過周波数帯域）内には、狭帯域妨害波Ｎ１の影響を受けない複数のサブキャリアＳＣが存在し、狭帯域妨害波Ｎ１は、送信および受信に用いる周波数帯域Ｗ１１外に存在している。さらに狭帯域妨害波Ｎ１は、送信および受信に用いる周波数帯域Ｗ１１外であるので、その信号レベルは減衰しており、一方、通信に用いられるサブキャリアＳＣは、周波数帯域が狭くなった分だけ信号レベルを増大させている。したがって、狭帯域妨害波Ｎ１がマルチキャリア通信で用いるサブキャリアＳＣに与える影響は抑制され、通信エラーの発生を防止することができる。
【００５７】
また、図６（ｂ）は、本実施形態において広帯域妨害波Ｎ２が存在する場合の受信信号の信号レベルを示しており、送信および受信に用いる周波数帯域Ｗ１１外の広帯域妨害波Ｎ２ｂは、その信号レベルが減衰している。送信および受信に用いる周波数帯域Ｗ１１内の広帯域妨害波Ｎ２ａは、その信号レベルを維持しているが、周波数帯域Ｗ１１内で通信に用いられるサブキャリアＳＣは、周波数帯域が狭くなった分だけ信号レベルを増大させており、ＳＮＲが向上している。したがって、広帯域妨害波Ｎ２がマルチキャリア通信で用いるサブキャリアＳＣに与える影響は抑制され、通信エラーの発生を防止することができる。
【００５８】
このように、本実施形態によれば、妨害波が存在する環境下で、通信の信頼性を確保することができるのである。
【００５９】
また、妨害波が発生した場合に図５のシーケンスに示す処理を行った後、マルチキャリア通信装置Ａ１，Ａ２は、全周波数帯域Ｙａ（全てのサブキャリアを含む周波数帯域）を通過させるバンドパスフィルタＢＰＦ１４ａを定期的に同時に通信経路に接続して、全サブキャリアを用いて通信を行い、データを受信したマルチキャリア通信装置Ａでは、使用可能帯域検出部２ａが算出した全サブキャリアの雑音レベルが所定レベル以下になった場合、使用帯域指定部２ｂは、バンドパスフィルタＢＰＦ１４ａの通過周波数帯域Ｙａを受信時の使用周波数帯域に設定し、他のマルチキャリア通信装置Ａに、自己の受信時の使用周波数帯域を通知し、通知を受け取ったマルチキャリア通信装置Ａでは、全周波数帯域Ｙａ内の全サブキャリアを送信時の通信キャリアに設定し、送信時にはバンドパスフィルタＢＰＦ１４ａを通信経路に接続する。したがって、妨害波がなくなった時点で、全サブキャリアを用いた通信に復帰するので、通信速度の向上を図ることができる。
【００６０】
（実施形態２）
本実施形態は、マルチキャリア通信装置Ａが、妨害波が発生した場合に図７のシーケンスに示す処理を行うものであり、他の構成は実施形態１と同様であり、説明は省略する。
【００６１】
まず、マルチキャリア通信装置Ａ１，Ａ２がともにＢＰＦ１４ａを通信経路に接続した状態で、マルチキャリア通信装置Ａ１が、全サブキャリアを用いてマルチキャリア通信装置Ａ２へデータを送信した後（Ｓ１１）、待機状態となる。そして、データを受信したマルチキャリア通信装置Ａ２は、同期確立後にデータエラーが発生した場合、同期信号パターン（プリアンブル）等を用いてデータエラーの発生をマルチキャリア通信装置Ａ１に通知し（Ｓ１２）、その後もマルチキャリア通信装置Ａ１は待機状態を維持する。
【００６２】
データエラーが発生したマルチキャリア通信装置Ａ２では、使用可能帯域検出部２ａが、マルチキャリア通信装置Ａ１から受信したデータに基づいて、全てのサブキャリアのＳＮＲをサブキャリア毎に算出し、ＳＮＲの算出結果に基づいて受信時に使用可能なサブキャリアを判別する。ここで、送信時の伝送ロスと受信時の伝送ロスとの各周波数特性が同一であると考えて、これらの使用可能なサブキャリアが含まれる周波数帯域を、送信時および受信時に使用可能な周波数帯域として検出する。この送信時および受信時に使用可能な周波数帯域とは、ＢＰＦ１４ｂ〜ＢＰＦ１４ｄの各通過周波数帯域Ｙｂ〜Ｙｄから、１乃至複数の周波数帯域が選択される。そして、使用帯域指定部２ｂは、上記検出した１乃至複数の使用可能な周波数帯域のうち、サブキャリアのＳＮＲが最も良好な周波数帯域を、マルチキャリア通信装置Ａ２の送信時および受信時の使用周波数帯域Ｙ０に設定する。すなわち、Ｙ０＝ＹｂまたはＹｃまたはＹｄである。
【００６３】
次に、マルチキャリア通信装置Ａ２の通信調整部２ｄは、フィルタ切替部１３ａ，１３ｂを制御して、使用周波数帯域Ｙ０を通過させるＢＰＦ１４（１４ｂ，１４ｃ，１４ｄのいずれか）を通信経路に接続し、さらにＦＦＴ／ＩＦＦＴ部４を制御して、当該ＢＰＦ１４の通過周波数帯域内のサブキャリアを送信時の通信キャリアに設定する。また、送信レベル調節部７のゲイン設定値を変更することなく、ＢＰＦ１４ａに比べて通過周波数帯域の狭いＢＰＦ１４を用いると、送信信号の時間軸上での信号レベルは減少するため、送信するマルチキャリア信号の信号レベルをこの減少分に相当するレベルだけ大きくすることができる。したがって、通信調整部２ｄは、送信レベル調節部７の出力電力を増大させることなく、送信レベル調節部７のゲインを大きく設定できる。これらの設定を行った後、マルチキャリア通信装置Ａ２の使用帯域通知部２ｃは、上述のように設定した使用周波数帯域Ｙ０で空データを送信する（Ｓ１３）。
【００６４】
そしてマルチキャリア通信装置Ａ１では、使用可能帯域検出部２ａが、空データ内の各サブキャリアのＳＮＲを算出し、マルチキャリア通信装置Ａ２の送受信時の使用周波数帯域Ｙ０を推定し、使用帯域指定部２ｂが、この推定結果に基づいて、マルチキャリア通信装置Ａ１の送信時および受信時の使用周波数帯域をＹ０に設定する。そして通信調整部２ｄが、フィルタ切替部１３ａ，１３ｂを制御して、使用周波数帯域Ｙ０を通過させるＢＰＦ１４（１４ｂ，１４ｃ，１４ｄのいずれか）を通信経路に接続し、さらにＦＦＴ／ＩＦＦＴ部４を制御して、当該ＢＰＦ１４の通過周波数帯域内のサブキャリアを送信時の通信キャリアに設定する。また、送信レベル調節部７のゲイン設定値を変更することなく、ＢＰＦ１４ａに比べて通過周波数帯域の狭いＢＰＦ１４を用いると、送信信号の時間軸上での信号レベルは減少するため、送信するマルチキャリア信号の信号レベルをこの減少分に相当するレベルだけ大きくすることができる。したがって、通信調整部２ｄは、送信レベル調節部７の出力電力を増大させることなく、送信レベル調節部７のゲインを大きく設定できる。これらの設定を行った後、マルチキャリア通信装置Ａ１の使用帯域通知部２ｃは、上述のように設定した使用周波数帯域Ｙ０で、送信時および受信時の使用周波数帯域Ｙ０の情報を送信する（Ｓ１４）。
【００６５】
このようにして、マルチキャリア通信装置Ａ１，Ａ２がともに送信時および受信時の使用周波数帯域Ｙ０を認知し、通信周波数帯域の整合が完了する。すなわち、通信元と通信先のマルチキャリア通信装置Ａがともに、同一の周波数帯域Ｙ０を送信時および受信時の使用周波数帯域に設定しており、妨害波が存在する環境下で、通信の信頼性を確保するとともに、送信時の伝送ロスと受信時の伝送ロスとの各周波数特性が同一の場合の処理を簡略化できる。
【００６６】
また、上記Ｓ１３において、マルチキャリア通信装置Ａ２は、使用周波数帯域Ｙ０で空データを送信するが、この空データをマルチキャリア通信装置Ａ１以外の図示しないマルチキャリア通信装置Ａ３，Ａ４，．．．が受信して、マルチキャリア通信装置Ａ１と同様に送信時および受信時の使用周波数帯域をＹ０に設定することも可能である。したがって、３台以上のマルチキャリア通信装置Ａが存在する場合に、使用周波数帯域の設定を一括して行うことができ、設定処理を簡略化できる。
【００６７】
（実施形態３）
本実施形態は、マルチキャリア通信装置Ａが、図８に示すフィルタ部１４を備えており、受信可能な全周波数帯域Ｙａ（全てのサブキャリアを含む周波数帯域）を通過させるＢＰＦ１４ａと、受信可能な周波数帯域のうち低周波数領域Ｙｂを通過させるＢＰＦ１４ｂと、受信可能な周波数帯域のうち中周波数領域Ｙｃを通過させるＢＰＦ１４ｃと、受信可能な周波数帯域のうち高周波数領域Ｙｄを通過させるＢＰＦ１４ｄと、低周波帯域Ｙｂ＋中周波帯域Ｙｃである周波数帯域Ｙｅを通過させるＢＰＦ１４ｅと、中周波帯域Ｙｃ＋高周波帯域Ｙｄである周波数帯域Ｙｆを通過させるＢＰＦ１４ｆと、低周波帯域Ｙｂ＋高周波帯域Ｙｄである周波数帯域Ｙｇを通過させるＢＰＦ１４ｇとで構成される。そして、フィルタ切替部１３ａ，１３ｂの各接点を切り替えることで、ＢＰＦ１４ａ〜ＢＰＦ１４ｇのうちいずれか１つが送信時および受信時に通信経路に接続される。なお、他の構成は実施形態１または２と同様であり、説明は省略する。
【００６８】
そして、実施形態１におけるマルチキャリア通信装置Ａ１の受信時の使用周波数帯域Ｙ１、マルチキャリア通信装置Ａ２の受信時の使用周波数帯域Ｙ２や、実施形態２におけるマルチキャリア通信装置Ａ１，Ａ２の送信時および受信時の使用周波数帯域Ｙ０を、使用帯域指定部２ｂが設定する場合、ＢＰＦ１４ｅ〜ＢＰＦ１４ｇのいずれかの通過周波数帯域Ｙｅ〜Ｙｇを使用周波数帯域Ｙ１，Ｙ２，Ｙ０に設定することで、より広い周波数帯域を用いて通信を行うことができ、通信速度の向上を図ることができる。
【００６９】
（実施形態４）
本実施形態は、マルチキャリア通信装置Ａが、図９に示す通信制御部２を備えており、通信制御部２には雑音履歴記憶部２ｅが付加されている。なお、他の構成は実施形態１と同様であり、説明は省略する。
【００７０】
まず、図５におけるＳ２の後で、マルチキャリア通信装置Ａ２では、使用可能帯域検出部２ａが、マルチキャリア通信装置Ａ１から受信したデータに基づいて、全てのサブキャリアのＳＮＲをサブキャリア毎に算出し、ＳＮＲの算出結果に基づいて受信時に使用可能なサブキャリアを判別して、これらの使用可能なサブキャリアのみ（または、使用可能なサブキャリアの割合が一定以上）が含まれる周波数帯域を、受信時に使用可能な周波数帯域として検出する。この検出動作の度に、雑音履歴記憶部２ｅは、ＳＮＲの算出結果に基づいて受信時に使用不可能であると判別された周波数帯域の履歴を記憶しておく。
【００７１】
そして、使用帯域指定部２ｂは、上記検出した１乃至複数の使用可能な周波数帯域のうち、過去に使用不可能であると判別された周波数帯域を除いた中から、サブキャリアのＳＮＲが最も良好な周波数帯域を、マルチキャリア通信装置Ａ２の受信時の使用周波数帯域Ｙ２（＝ＹｂまたはＹｃまたはＹｄ）に設定する。
【００７２】
また、図５におけるＳ３，Ｓ４，Ｓ５の後で、マルチキャリア通信装置Ａ１では、使用可能帯域検出部２ａが、マルチキャリア通信装置Ａ２から受信した信号に基づいて、ＢＰＦ１４ｂ，１４ｃ，１４ｄの各通過周波数帯域Ｙｂ，Ｙｃ，Ｙｄ内の各サブキャリアのＳＮＲを算出しているが、このとき雑音履歴記憶部２ｅは、ＳＮＲの算出結果に基づいて受信時に使用不可能であると判別された周波数帯域の履歴を記憶しておく。そして、図５におけるＳ５の後で、マルチキャリア通信装置Ａ１では、使用帯域指定部２ｂが、ＢＰＦ１４ｂ〜ＢＰＦ１４ｄの各通過周波数帯域Ｙｂ〜Ｙｄのうち、過去に使用不可能であると判別された周波数帯域を除いた中から、サブキャリアのＳＮＲが最も良好な周波数帯域を、マルチキャリア通信装置Ａ１の受信時の使用周波数帯域Ｙ１に設定する。
【００７３】
したがって、過去に使用不可能であると判別された周波数帯域を、受信時の使用周波数帯域には設定しないことで、定期的に周波数が変動する妨害波が発生する場合に、このような周波数変動する妨害波を避けて、受信時の使用周波数帯域を設定することができ、通信の信頼性がさらに向上する。また、実施形態２，３においても同様の構成を備えることで、上記効果を得ることができる。
【００７４】
（実施形態５）
本実施形態は、マルチキャリア通信装置Ａが、図１０に示す通信制御部２を備えており、通信制御部２には優先度履歴記憶部２ｆが付加されている。なお、他の構成は実施形態１と同様であり、説明は省略する。
【００７５】
まず、図５におけるＳ２の後で、マルチキャリア通信装置Ａ２では、使用可能帯域検出部２ａが、マルチキャリア通信装置Ａ１から受信したデータに基づいて、全てのサブキャリアのＳＮＲをサブキャリア毎に算出し、ＳＮＲの算出結果に基づいて受信時に使用可能なサブキャリアを判別して、これらの使用可能なサブキャリアのみ（または、使用可能なサブキャリアの割合が一定以上）が含まれる周波数帯域を、受信時に使用可能な周波数帯域として検出する。この検出動作の度に、優先度履歴記憶部２ｆは、ＳＮＲの算出結果に基づいて、各周波数帯域（Ｙｂ，Ｙｃ，Ｙｄ）に優先度を示す重み付け情報を生成し、各周波数帯域に対応させて優先度履歴記憶部２ｆに格納しておく。この優先度は、妨害波によってＳＮＲが低く、受信時に使用不可能であると判別された回数、日時に基づいて設定され、頻繁に妨害波が発生する周波数帯域は優先度を低くし、妨害波が発生する頻度が少ない周波数帯域は優先度を高く設定する。
【００７６】
そして、マルチキャリア通信装置Ａ２の使用帯域指定部２ｂは、上記検出した１乃至複数の使用可能な周波数帯域のうち、優先度の最も高い周波数帯域を、マルチキャリア通信装置Ａ２の受信時の使用周波数帯域Ｙ２（＝ＹｂまたはＹｃまたはＹｄ）に設定する。
【００７７】
また、図５におけるＳ３，Ｓ４，Ｓ５の後で、マルチキャリア通信装置Ａ１では、使用可能帯域検出部２ａが、マルチキャリア通信装置Ａ２から受信した信号に基づいて、ＢＰＦ１４ｂ，１４ｃ，１４ｄの各通過周波数帯域Ｙｂ，Ｙｃ，Ｙｄ内の各サブキャリアのＳＮＲを算出しているが、このとき優先度履歴記憶部２ｆは、ＳＮＲの算出結果に基づいて、各周波数帯域（Ｙｂ，Ｙｃ，Ｙｄ）に優先度を示す重み付け情報を生成し、各周波数帯域に対応させて優先度履歴記憶部２ｆに格納しておく。
【００７８】
そして、図５におけるＳ５の後で、マルチキャリア通信装置Ａ１では、使用帯域指定部２ｂが、ＢＰＦ１４ｂ〜ＢＰＦ１４ｄの各通過周波数帯域Ｙｂ〜Ｙｄのうち、優先度の最も高い周波数帯域を、マルチキャリア通信装置Ａ１の受信時の使用周波数帯域Ｙ１に設定する。
【００７９】
したがって、過去に使用不可能であると判別された履歴に基づく優先度を用いて、受信時の使用周波数帯域を設定することで、頻繁に妨害波が発生する周波数帯域は優先度を低くし、妨害波が発生する頻度が少ない周波数帯域は優先度を高くして、優先度の高い周波数帯域を使用周波数帯域に設定するので、通信の信頼性がさらに向上する。また、実施形態２，３においても同様の構成を備えることで、上記効果を得ることができる。
【００８０】
（実施形態６）
本実施形態は、マルチキャリア通信装置Ａが、妨害波が発生した場合に図５のシーケンスに示す処理を基本的に行うものであるが、以下の点が実施形態１とは異なるものである。
【００８１】
まず、図５におけるＳ２の後で、データエラーが発生したマルチキャリア通信装置Ａ２では、使用可能帯域検出部２ａが、マルチキャリア通信装置Ａ１から受信したデータに基づいて、各サブキャリアのＳＮＲをサブキャリア毎に順次算出し、ＳＮＲの算出結果に基づいて受信時に使用可能なサブキャリアを順次判別する。そして、サブキャリアのＳＮＲを順次算出し、受信時に使用可能なサブキャリアを順次判別している途中であっても、受信時に使用可能な周波数帯域（ＢＰＦ１４ｂ〜ＢＰＦ１４ｄの各通過周波数帯域Ｙｂ〜Ｙｄのいずれか１つ）が検出されれば、使用帯域指定部２ｂが、この最初に検出された周波数帯域を、マルチキャリア通信装置Ａ２の受信時の使用周波数帯域Ｙ２に設定する。
【００８２】
したがって、全てのサブキャリアのＳＮＲを算出して、全てのサブキャリアに対して受信時に使用可能なサブキャリアであるか否かを判別する必要はなく、受信時の使用周波数帯域Ｙ２の設定処理を簡略化できる。また、実施形態２〜５においても同様の構成を備えることで、上記効果を得ることができる。
【００８３】
（実施形態７）
本実施形態は、実施形態１〜６において、マルチキャリア通信装置Ａが、フィルタ切替部１３ａ，１３ｂと、フィルタ部１４の代わりに、ＦＩＲ部５に、互いに通過周波数帯域の異なる複数のデジタルフィルタを設けたものであり、ＢＰＦの高速切替が実現できる。
【００８４】
（実施形態８）
本実施形態は、マルチキャリア通信装置Ａが、図１１に示すフィルタ部１４を備えており、低域のカットオフ周波数以上の周波数帯域Ｙｈを通過させるハイパスフィルタ（以降、ＨＰＦと称す）ＨＰＦ１４ｈと、中域のカットオフ周波数以上の周波数帯域Ｙｉを通過させるＨＰＦ１４ｉと、高域のカットオフ周波数以上の周波数帯域Ｙｊを通過させるＨＰＦ１４ｊと、低域のカットオフ周波数以下の周波数帯域Ｙｋを通過させるローパスフィルタ（以降、ＬＰＦと称す）ＬＰＦ１４ｋと、中域のカットオフ周波数以下の周波数帯域Ｙｍを通過させるＬＰＦ１４ｍと、高域のカットオフ周波数以下の周波数帯域Ｙｎを通過させるＬＰＦ１４ｎとで構成される。また、各ＨＰＦ、ＬＰＦのカットオフ周波数は調整可能に構成されている。
【００８５】
そして、ＨＰＦ１４ｈ，１４ｉ，１４ｊのうちいずれか１つを通信経路に接続するフィルタ切替部１３ｂ，１３ｄと、ＬＰＦ１４ｋ，１４ｍ，１４ｎのうちいずれか１つを通信経路に接続するフィルタ切替部１３ａ，１３ｃとを備え、いずれか１つのＨＰＦといずれか１つのＬＰＦとが通信経路に直列接続されて、１つのＢＰＦを構成する。したがって、各ＨＰＦ、ＬＰＦのカットオフ周波数を調整することで、ＢＰＦの通過周波数帯域を細やかに調整可能できる。なお、他の構成は実施形態１〜７いずれかと同様であり、説明は省略する。
【図面の簡単な説明】
【００８６】
【図１】実施形態１のマルチキャリア通信装置のブロック構成を示す図である。
【図２】同上の通信システムの構成を示す図である。
【図３】同上のフィルタ部の構成を示す図である。
【図４】同上の通信制御部の構成を示す図である。
【図５】同上の妨害波発生時のシーケンスを示す図である。
【図６】（ａ）（ｂ）同上の妨害波発生時の受信信号の信号レベルを示す図である。
【図７】実施形態２の妨害波発生時のシーケンスを示す図である。
【図８】実施形態３のフィルタ部の構成を示す図である。
【図９】実施形態４の通信制御部の構成を示す図である。
【図１０】実施形態５の通信制御部の構成を示す図である。
【図１１】実施形態８のフィルタ部の構成を示す図である。
【図１２】（ａ）（ｂ）従来の狭周波数帯域の妨害波発生時の受信信号の信号レベルを示す図である。
【図１３】（ａ）（ｂ）従来の広周波数帯域の妨害波発生時の受信信号の信号レベルを示す図である。
【符号の説明】
【００８７】
Ａ  マルチキャリア通信装置
１  ＭＡＣインタフェース部
２  通信制御部
４  ＦＦＴ／ＩＦＦＴ部
７  送信レベル調節部
１４  フィルタ部
１４ａ〜１４ｄ  バンドパスフィルタ
１３ａ，１３ｂ  フィルタ切替部
Ｌ  伝送線
【図１】
2010004469.tif 000003
【図２】
2010004469.tif 000004
【図３】
2010004469.tif 000005
【図４】
2010004469.tif 000006
【図５】
2010004469.tif 000007
【図６】
2010004469.tif 000008
【図７】
2010004469.tif 000009
【図８】
2010004469.tif 000010
【図９】
2010004469.tif 000011
【図１０】
2010004469.tif 000012
【図１１】
2010004469.tif 000013
【図１２】
2010004469.tif 000014
【図１３】
2010004469.tif 000015